(57)【要約】      （修正有）【課題】ユーザが、前記医薬品模型のダミー医薬品を誤って可食したとしても、人体に影響を及ぼすことが無く安全性に優れる医薬品模型を提供する。【解決手段】医薬品として有効成分を含まないペレット状のダミー医薬品２と、当該ダミー医薬品２を包装する外装のケース３と、当該ケース３内に配置されたラベル４とで販売促進のために提供される医薬品模型１を構成する。また、前記ダミー医薬品２は、ユーザが食しても人体に影響のない可食性成分からなる。【選択図】図１
0003173317.tif 000002
【実用新案登録請求の範囲】
【請求項１】
医薬品として有効成分を含まないペレット状のダミー医薬品と、当該ダミー医薬品を包装する外装のケースと、当該ケース内に配置されたラベルとで構成される、販売促進のために提供される医薬品模型であって、
前記ダミー医薬品が、ユーザが食しても人体に影響のない可食性成分から構成されることを特徴とする医薬品模型。
【考案の詳細な説明】
【技術分野】
【０００１】
本考案は、医薬品模型に関するものであり、詳しくは、ユーザが、前記医薬品模型のダミー医薬品を誤って食したとしても、人体に影響を及ぼすことが無く安全性に優れる医薬品模型に関する。
【背景技術】
【０００２】
従来より、ユーザ（一般人）が食する食品について、販売促進の目的のために様々な模型（サンプル）が製造され、店頭や営業に用いられてきた。
【０００３】
例えば、実開平５−７９５８２号公報（特許文献１）には、容器に収容した液体と、その液体の液面部あるいは液面下に設けた造形材と、前記液面部あるいは液面下に設けた、気体の噴出が可能な発泡体と、前記発泡体に接続する気体供給手段とから成る気泡発生機能付き食品サンプルが開示されている。これにより、煮込み料理のつゆが沸騰して発泡する状態などを動的に表現することが可能となり、食品サンプルを見る人に対して実物の料理や飲料に非常に近い感覚を伝えて食欲を増進させるなどの効果を得ることが可能となるとしている。
【０００４】
又、特開平６−１４９１５６号公報（特許文献２）には、疑似食品の一部を固着した飲食用具と、この飲食用具を昇降する昇降装置と、超音波振動によって水から霧を発生すると共にこの霧を前記疑似食品から放出する霧発生装置とを備えたことを特徴とする食品模型が開示されている。これにより、調理品を、いかにもおいしそうに、しかも積極的に宣伝することができる食品模型を、簡単な構造によって提供することが可能となるとしている。
【０００５】
又、実用新案登録第３０３２５４３号公報（特許文献３）には、展示用サンプルとして使用される食品商品模型が開示されている。前記食品商品模型は、陶土を主原料としこれを商品の形状に成形し、低温焼成し、表面には商品の色彩を施釉してなる、高温雰囲気での使用に適した食品商品模型である。これにより、高温焼成した場合のように瀬戸物感がなく、タイ焼きや回転焼きの外観を忠実に表現出来るとしている。
【０００６】
又、実用新案登録第３０８７５６９号公報（特許文献４）には、食品をかたどった立体形状の食品サンプル模型素材に、画像が形成されたシートを貼り付けてなる食品サンプル模型が開示されている。これにより、短時間で生産性よく、模型間でまったく同じ色彩で、食品サンプル模型を得ることが出来るとしている。
【０００７】
又、特開２００５−４１７１号公報（特許文献５）には、画像を表示するフィルム部を備えた食品サンプルが開示されている。前記食品サンプルは、該フィルム部の形状が食品及び／又は食品容器の見かけの外縁の形状をかたどった形状である。これにより、従来の写真パネルと異なり、個々の食品を独立させ、小型、軽量を図り且つ立体形状を備えたものであるため、大がかりな設置工事が不要となるなどの効果を得ることが出来るとしている。
【先行技術文献】
【特許文献】
【０００８】
【特許文献１】実開平５−７９５８２号公報
【特許文献２】特開平６−１４９１５６号公報
【特許文献３】特開平６−１４９１５６号公報
【特許文献４】実用新案登録第３０８７５６９号公報
【特許文献５】特開２００５−４１７１号公報
【考案の概要】
【考案が解決しようとする課題】
【０００９】
ところで、上述した模型のうち、ユーザが食する医薬品の販売促進のための模型（医薬品模型）が存在する。この医薬品模型は、例えば、ペレット状のダミー医薬品（模擬医薬品、薬剤、錠剤）を包装したプラスチックシートで構成される。
【００１０】
前記医薬品模型は、上述した模型（サンプル）という点と、前記ダミー医薬品の有効成分が高価である点とを考慮し、通常、前記ダミー医薬品は、安価なプラスチックなどのユーザが食することが出来ない不可食性成分（材質）で構成されている。
【００１１】
ところが、前記ダミー医薬品は、非常に小さなペレット状の塊であるため、当該ダミー医薬品が、有効成分を含む本物の医薬品か、前記不可食性成分の医薬品（模擬品）かを、ユーザが一見して判断することが出来ないという実情がある。そのため、販売促進のために前記医薬品模型を受け取ったユーザが、当該医薬品模型を、本物の医薬品であると誤解（誤認）して、当該ダミー医薬品を食するという問題がある。上述したように、前記ダミー医薬品は、通常、不可食性成分で構成されているため、当該ダミー医薬品を食したユーザに害を及ぼす危険性がある。
【００１２】
そこで、本考案は、前記問題を解決するためになされたものであり、ユーザが、前記医薬品模型のダミー医薬品を誤って食したとしても、人体に影響を及ぼすことが無く安全性に優れる医薬品模型を提供することを目的とする。
【課題を解決するための手段】
【００１３】
上述した課題を解決し、目的を達成するため、本考案に係る医薬品模型は、医薬品として有効成分を含まないペレット状のダミー医薬品と、当該ダミー医薬品を包装する外装のケースと、当該ケース内に配置されたラベルとで構成される、販売促進のために提供される医薬品模型であって、以下の構成を採用する。
【００１４】
即ち、前記医薬品模型は、前記ダミー医薬品が、ユーザが食しても人体に影響のない可食性成分から構成されることを特徴とする。
【考案の効果】
【００１５】
本考案に係る医薬品模型によれば、ユーザが、前記医薬品模型のダミー医薬品を誤って食したとしても、人体に影響を及ぼすことが無く安全性に優れる医薬品模型を提供することが可能となる。
【図面の簡単な説明】
【００１６】
【図１】本考案に係る医薬品模型の一例を示した概略構成図である。
【図２】本考案に係る医薬品模型の一例を示した分解図である。
【考案を実施するための形態】
【００１７】
以下に、添付図面を参照して、本考案に係る医薬品模型の実施形態について説明し、本考案の理解に供する。尚、以下の実施形態は、本考案を具体化した一例であって、本考案の技術的範囲を限定する性格のものではない。
【００１８】
図１は、本考案に係る医薬品模型の一例を示した概略構成図である。又、図２は、本考案に係る医薬品模型の一例を示した分解図である。
【００１９】
本考案に係る医薬品模型１は、主として、販売促進のために提供される医薬品模型であり、図１、図２に示すように、医薬品として有効成分を含まないペレット状のダミー医薬品２と、当該ダミー医薬品２を包装する外装のケース３と、当該ケース３内に配置されたラベル４とで構成される。
【００２０】
ここで、前記ダミー医薬品２は、ユーザが食しても人体に影響のない可食性成分から構成されている。
【００２１】
これにより、前記医薬品模型１を受け取ったユーザが、当該医薬品模型１のダミー医薬品２を誤って食したとしても、人体に影響を及ぼすことが無い。よって、本考案に係る医薬品模型１は、非常に安全性に優れることになる。
【００２２】
特に、前記医薬品模型１におけるダミー医薬品２も、本物（真性）の医薬品も、非常に小さなペレット状の塊であるため、両者の外観は、極めて類似しており、ユーザが一見して判断することが出来ない。又、現在の高齢化社会においては、例えば、高齢者が、前記医薬品模型１内のダミー医薬品２を誤って食する事例が多発している。
【００２３】
本考案では、前記医薬品模型１のダミー医薬品２においても、可食性成分から構成することで、上述した問題を解決することが可能である。
【００２４】
ここで、前記ダミー医薬品２における可食性成分は、ユーザが食しても人体に影響のない成分であれば、どのような成分であっても構わないが、例えば、乳糖と、結晶セルロースと、マルチトールと、微粒酸化ケイ素と、ショ糖脂肪酸エステルと、ステアリン酸カルシウムと、リボフラビンと、ベニバナ赤色素との組み合わせが挙げられる。又、これらの成分のうち、所定の成分を単独成分として前記ダミー医薬品２を構成しても構わないし、所定の可食性の着色成分を添加しても構わない。
【００２５】
又、前記ダミー医薬品２は、ペレット状であり、例えば、図１、図２に示すように、通常、市販されている錠剤としている。又、前記ダミー医薬品２の個数は、販売対象の本物の医薬品に対応させるため、特に限定はないが、例えば、図１、図２に示すように、２個に設定されている。更に、各ダミー医薬品２は、白色錠剤とピンク色錠剤又は白色錠剤と黄色錠剤など、異なる種類（例えば、２種類）で構成されても良いし、同一の種類で構成されても構わない。
【００２６】
ところで、前記ダミー医薬品２を包装するケース３は、特に限定はないが、例えば、図１、図２に示すように、上部ケース３ａと、下部ケース３ｂとから構成される。前記上部ケース３ａは、前記ダミー医薬品２の形状と個数とに対応して、当該ダミー医薬品２の大半を覆うとともに、下部に開口を有する包含部３ａ１を備える。又、前記下部ケース３ｂは、前記上部ケース３ａの周端部が装着可能な装着部３ｂ１を備え、当該装着部３ｂ１は、当該上部ケース３ａの周端部３ａ２とともに、前記ラベル４が挿入可能な空間が予め設けられている。これにより、前記ダミー医薬品２及び前記ラベル４を前記ケース３で包装することが可能となる。
【００２７】
具体的には、図２に示すように、前記ケース３に係る上部ケース３ａの包含部３ａ１に、前記ダミー医薬品２を入れて、当該包含部３ａ１の開口に前記ラベル４で蓋をする。次に、前記上部ケース３ａの周端部３ａ２と、前記ラベル４とを、前記下部ケース３ｂの装着部３ｂ１に装着して、当該上部ケース３ａと当該下部ケース３ｂとを重ね合わせる。これにより、前記ダミー医薬品２及び前記ラベル４が前記ケース３で包装される。
【００２８】
又、前記ラベル４は、特に限定はないが、例えば、図１、図２に示すように、前記下部ケースの装着部３ｂ１の底面に嵌め合わせることが可能な矩形のシートで構成される。前記ラベル４の材質は、例えば、紙、プラスチック等が該当し、本考案に係る医薬品模型１が、現実に、ユーザに譲渡される場合には、例えば、前記ラベル４に、当該医薬品模型１に対応する本物の医薬品の名称、当該医薬品の有効成分、製造元、販売元等が予め記録されることになる。
【００２９】
又、前記ラベル４は、前記ダミー医薬品２が配置される位置に対応して凹部４ａが予め設けられると、前記ダミー医薬品２を配置した際に、当該ダミー医薬品の位置ズレが発生し難く、好ましい。
【００３０】
尚、本考案に係る医薬品模型１は、図１、図２に示すように、短冊状の形状をしているが、この形状に特に限定されるものではなく、適宜設計変更することが可能である。
【産業上の利用可能性】
【００３１】
以上のように、本考案に係る医薬品模型は、販売促進、店頭販売などの販売目的の医薬品模型に有用であり、ユーザが、前記医薬品模型のダミー医薬品を誤って可食したとしても、人体に影響を及ぼすことが無く安全性に優れる医薬品模型として有効である。
【符号の説明】
【００３２】
１    医薬品模型
２    ダミー医薬品
３    ケース
４    ラベル
【図１】
0003173317.tif 000003
【図２】
0003173317.tif 000004